(57)【要約】【課題】「Ａｄｖａｎｃｅｄ  Ｒｅｃｅｉｖｅｒ機能」を具備している場合であっても、適切にバッテリセービングを実現する。【解決手段】本発明に係る移動局ＵＥは、上りリンクデータ用リソース及び下りリンクデータ用リソースの移動局ＵＥに対する割り当ての可能性の有無を判定するように構成されている判定部１１と、判定部１１が、かかる割り当ての可能性が無いと判定した場合、「Ａｄｖａｎｃｅｄ  Ｒｅｃｅｉｖｅｒ機能」を停止するように構成されている切替部１２とを具備する。【選択図】図３
2015008401.tif 000002
【特許請求の範囲】
【請求項１】
高性能受信機機能を具備する移動局であって、
上りリンクデータ用リソース及び下りリンクデータ用リソースの前記移動局に対する割り当ての可能性の有無を判定するように構成されている判定部と、
前記判定部が、前記割り当ての可能性が無いと判定した場合、前記高性能受信機機能を停止するように構成されている切替部とを具備することを特徴とする移動局。
【請求項２】
前記判定部は、前記移動局に対して間欠受信制御が開始された場合に、前記割り当ての可能性が無いと判定するように構成されていることを特徴とする請求項１に記載の移動局。
【請求項３】
前記判定部は、前記移動局が間欠受信状態に遷移した場合に、前記割り当ての可能性が無いと判定するように構成されていることを特徴とする請求項１に記載の移動局。
【請求項４】
前記判定部は、前記移動局宛ての下りリンクデータ及び該移動局によって送信される上りリンクデータが枯渇してから所定期間が経過した場合に、前記割り当ての可能性が無いと判定するように構成されていることを特徴とする請求項１に記載の移動局。
【請求項５】
前記判定部は、ネットワークからの指示に応じて、前記割り当ての可能性が無いと判定するように構成されていることを特徴とする請求項１に記載の移動局。
【請求項６】
前記判定部は、セカンダリセルが非アクティブ状態に遷移する場合に、前記割り当ての可能性が無いと判定するように構成されており、
前記切替部は、前記セカンダリセルに対応する前記高性能受信機機能を停止するように構成されていることを特徴とする請求項１に記載の移動局。
【請求項７】
前記判定部は、セカンダリセルにおいて上りリンクデータ用リソース又は下りリンクデータ用リソースが最後に割り当てられてから所定期間が経過した場合に、前記割り当ての可能性が無いと判定するように構成されており、
前記切替部は、前記セカンダリセルに対応する前記高性能受信機機能を停止するように構成されていることを特徴とする請求項１に記載の移動局。
【請求項８】
高性能受信機機能を具備する移動局であって、
上りリンクデータ用リソース及び下りリンクデータ用リソースの前記移動局に対する割り当ての可能性の有無を判定するように構成されている判定部と、
前記判定部が、前記割り当ての可能性が無いと判定した場合、前記高性能受信機機能が満たすべき受信特性を緩和するように構成されている切替部とを具備することを特徴とする移動局。
【発明の詳細な説明】
【技術分野】
【０００１】
本発明は、移動局に関する。
【背景技術】
【０００２】
ＬＴＥ（Ｌｏｎｇ  Ｔｅｒｍ  Ｅｖｏｌｕｔｉｏｎ）のＲｅｌｅａｓｅ-８方式では、「ＭＭＳＥ（Ｍｉｎｉｍｕｍ  Ｍｅａｎ  Ｓｑｕａｒｅ  Ｅｒｒｏｒ）  Ｒｅｃｅｉｖｅｒ」又は「ＭＲＣ（Ｍａｘｉｍｕｍ  Ｒａｔｉｏ  Ｃｏｍｂｉｎｉｎｇ）  Ｒｅｃｅｉｖｅｒ」を前提して規格が策定されていた。
【０００３】
一方、ＬＴＥのＲｅｌｅａｓｅ-１１方式では、通常のＲｅｃｅｉｖｅｒと比べて、サービングセル以外のセルからの干渉に対する性能を向上させることを目的として規定された「Ａｄｖａｎｃｅｄ  Ｒｅｃｅｉｖｅｒ機能」という概念が導入されている。
【０００４】
例えば、図４に示すように、かかる「Ａｄｖａｎｃｅｄ  Ｒｅｃｅｉｖｅｒ機能」には、「ＭＭＳＥ-ＩＲＣ  Ｒｅｃｅｉｖｅｒ機能」や「ＣＲＳ  Ｃａｎｃｅｌｌｅｒ機能（図示せず）」等が含まれている。
【０００５】
また、ＬＴＥ方式及びＬＴＥ-Ａｄｖａｎｃｅｄ方式では、移動局ＵＥのバッテリセービングを目的に、ＲＲＣ_Ｃｏｎｎｅｃｔｅｄ状態の移動局ＵＥをＤＲＸ（Ｄｉｓｃｏｎｔｉｕｏｕｓ  Ｒｅｃｅｐｔｉｏｎ）状態に遷移させるＤＲＸ制御を行うことができるように規定されている（非特許文献１参照）。
【０００６】
具体的には、ＤＲＸ状態の移動局ＵＥは、Ａｃｔｉｖｅ状態とＩｎａｃｔｉｖｅ状態との間を遷移するように構成されている。
【０００７】
ここで、Ａｃｔｉｖｅ状態の移動局ＵＥは、ＰＤＣＣＨ（物理下りリンク制御チャネル）を監視し、無線基地局ｅＮＢに対して、フィードバック情報、例えば、ＣＱＩ（Ｃｈａｎｎｅｌ  Ｑｕａｌｉｔｙ  Ｉｎｄｉｃａｔｏｒ）やＰＭＩ（Ｐｒｅｃｏｄｉｎｇ  Ｍａｔｒｉｘ  Ｉｎｄｅｘ）やＲＩ（Ｒａｎｋ  Ｉｎｄｉｃａｔｏｒ）やＰＴＩ（Ｐｒｅｃｏｄｉｎｇ  Ｔｙｐｅ  Ｉｎｄｉｃａｔｏｒ）等を報告するように構成されている。
【０００８】
一方、Ｉｎａｃｔｉｖｅ状態の移動局ＵＥは、ＰＤＣＣＨを監視せず、無線基地局ｅＮＢに対して、フィードバック情報を報告しないように構成されているため、移動局ＵＥのバッテリセービングを実現することができる。
【０００９】
以下のいずれかのケースにおいて、移動局ＵＥは、Ａｃｔｉｖｅ状態となり、それ以外のケースにおいて、移動局ＵＥは、Ｉｎａｃｔｉｖｅ状態となる。
【００１０】
-  「Ｏｎ  ｄｕｒａｔｉｏｎ  ｔｉｍｅｒ」、「ｄｒｘ-ＩｎａｃｔｉｖｉｔｙＴｉｍｅｒ」、「ｄｒｘ-ＲｅｔｒａｎｓｍｉｓｓｉｏｎＴｉｍｅｒ」及び「ｍａｃ-ｃｏｎｔｅｎｓｉｏｎＲｅｓｏｌｕｔｉｏｎＴｉｍｅｒ」のいずれかが起動しているケース
-  スケジュール要求（Ｓｃｈｅｄｕｌｉｎｇ  Ｒｅｑｕｅｓｔ）を送信したケース
-  上りリンクにおけるＨＡＲＱ（Ｈｙｂｒｉｄ  ＡＲＱ）再送のための「ＵＬ  ｇｒａｎｔ」が割り当てられるケース
-  ランダムアクセス応答（Ｒａｎｄｏｍ  Ａｃｃｅｓｓ  Ｒｅｓｕｐｏｎｓｅ）を受信した後、ＰＤＣＣＨを介して、新規送信を指示する下りリンク制御信号を受信していないケース
図５及び図６に、ＤＲＸ状態に遷移するように設定されている移動局ＵＥの動作を示す。
【先行技術文献】
【非特許文献】
【００１１】
【非特許文献１】３ＧＰＰ  ＴＳ３６.３２１
【発明の概要】
【発明が解決しようとする課題】
【００１２】
しかしながら、図７に示すように、「Ａｄｖａｎｃｅｄ  Ｒｅｃｅｉｖｅｒ機能」に対応している移動局ＵＥが、常に「Ａｄｖａｎｃｅｄ  Ｒｅｃｅｉｖｅｒ機能」をＯＮにしていると、送受信すべきデータがない場合であっても、電力を浪費してしまい、バッテリセービングの観点から望ましくない。
【００１３】
例えば、ＤＲＸ状態（Ｉｎａｃｔｉｖｅ状態）の移動局ＵＥは、送受信すべきデータがなく、必要とされる受信特性もシビアではないため、満足すべき受信特性をある程度緩和してもパフォーマンスの観点で問題にならない。
【００１４】
また、ＬＴＥのＲｅｌｅａｓｅ-１０方式（ＬＴＥ-Ａｄｖａｎｃｅｄ方式）で導入されたＣＡ（Ｃａｒｒｉｅｒ  Ａｇｇｒｅｇａｔｉｏｎ）においては、移動局ＵＥは、複数のＣＣ（Ｃｏｍｐｏｎｅｎｔ  Ｃａｒｒｉｅｒ）を束ねて通信を行うが、Ｄｅａｃｔｉｖｅ状態（非アクティブ状態）のＳｃｅｌｌにおいても通信を行っていないため、常に「Ａｄｖａｎｃｅｄ  Ｒｅｃｅｉｖｅｒ機能」をＯＮにしていると、電力を浪費してしまい、バッテリセービングの観点から望ましくない。
【００１５】
そこで、本発明は、上述の課題に鑑みてなされたものであり、「Ａｄｖａｎｃｅｄ  Ｒｅｃｅｉｖｅｒ機能」を具備している場合であっても、適切にバッテリセービングを実現することができる移動局を提供することを目的とする。
【課題を解決するための手段】
【００１６】
本発明の第１の特徴は、高性能受信機機能に対応している移動局であって、上りリンクデータ用リソース及び下りリンクデータ用リソースの前記移動局に対する割り当ての可能性の有無を判定するように構成されている判定部と、前記判定部が、前記割り当ての可能性が無いと判定した場合、前記高性能受信機機能を停止するように構成されている切替部とを具備することを特徴とする移動局。
【００１７】
本発明の第２の特徴は、高性能受信機機能に対応している移動局であって、上りリンクデータ用リソース及び下りリンクデータ用リソースの前記移動局に対する割り当ての可能性の有無を判定するように構成されている判定部と、前記判定部が、前記割り当ての可能性が無いと判定した場合、前記高性能受信機機能が満たすべき受信特性を緩和するように構成されている切替部とを具備することを要旨とする。
【発明の効果】
【００１８】
以上説明したように、本発明によれば、「Ａｄｖａｎｃｅｄ  Ｒｅｃｅｉｖｅｒ機能」を具備している場合であっても、適切にバッテリセービングを実現することができる移動局を提供することができる。
【図面の簡単な説明】
【００１９】
【図１】本発明の第１の実施形態に係る移動通信システムの全体構成図である。
【図２】本発明の第１の実施形態に係る移動局の機能ブロック図である。
【図３】本発明の第１の実施形態に係る移動局の動作を示すフローチャートである。
【図４】従来技術を説明するための図である。
【図５】従来技術を説明するための図である。
【図６】従来技術を説明するための図である。
【図７】従来技術を説明するための図である。
【発明を実施するための形態】
【００２０】
（本発明の第１の実施形態に係る移動通信システム）
図１乃至図３を参照して、本発明の第１の実施形態に係る移動通信システムについて説明する。
【００２１】
本実施形態に係る移動通信システムは、ＬＴＥ-Ａｄｖａｎｃｅｄ方式の移動通信システムであって、図１に示すように、無線基地局ｅＮＢと、とを具備している。
【００２２】
本実施形態に係る移動通信システムでは、移動局ＵＥと無線基地局ｅＮＢとの間で、複数のＣＣ（Ｃｏｍｐｏｎｅｎｔ  Ｃａｒｒｉｅｒ）を用いてＣＡ（Ｃａｒｒｉｅｒ  Ａｇｇｒｅｇａｔｉｏｎ）を行うことができるように構成されている。
【００２３】
また、本実施形態に係る移動通信システムでは、無線基地局ｅＮＢは、移動局ＵＥに対して、ＲＲＣシグナリングを用いて、ＤＲＸ制御を開始するように設定することができるように構成されている。
【００２４】
なお、本実施形態に係る移動局ＵＥは、「Ａｄｖａｎｃｅｄ  Ｒｅｃｅｉｖｅｒ機能」に対応している。例えば、「Ａｄｖａｎｃｅｄ  Ｒｅｃｅｉｖｅｒ機能」は、サービングセル以外のセルからの干渉を抑制することができるように構成されている機能である。
【００２５】
なお、「Ａｄｖａｎｃｅｄ  Ｒｅｃｅｉｖｅｒ機能」は、移動局ＵＥの受信特性を向上させる任意の手法を具備した機能であってもよい。
【００２６】
図２に示すように、本実施形態に係る移動局ＵＥは、判定部１１と、切替部１２と、ＤＲＸ制御部１３と、ＣＡ制御部１４と、送受信部１５とを具備している。
【００２７】
判定部１１は、上りリンクデータ用リソース及び下りリンクデータ用リソースの移動局ＵＥに対する割り当ての可能性の有無を判定するように構成されている。
【００２８】
例えば、判定部１１は、移動局ＵＥに対してＤＲＸ制御が開始された場合に、上述の割り当ての可能性が無いと判定するように構成されていてもよい。
【００２９】
すなわち、移動局ＵＥが、無線基地局ｅＮＢから送信されたＲＲＣメッセージによってＤＲＸ制御を行うように設定された場合に、判定部１１は、上述の割り当ての可能性が無いと判定するように構成されていてもよい。
【００３０】
或いは、判定部１１は、移動局ＵＥがＤＲＸ状態に遷移した場合に、上述の割り当ての可能性が無いと判定するように構成されていてもよい。
【００３１】
具体的には、判定部１１は、「ｄｒｘ-ＩｎａｃｔｉｖｉｔｙＴｉｍｅｒ」が満了した場合や、「ＤＲＸ  ｃｏｍｍａｎｄ  ＭＡＣ  ＣＥ」が受信された場合等に、上述の割り当ての可能性が無いと判定するように構成されていてもよい。
【００３２】
或いは、判定部１１は、移動局ＵＥ宛ての下りリンクデータ及び移動局ＵＥによって送信される上りリンクデータが枯渇してから所定期間が経過した場合に、上述の割り当ての可能性が無いと判定するように構成されていてもよい。
【００３３】
或いは、判定部１１は、ネットワークからの指示に応じて、上述の割り当ての可能性が無いと判定するように構成されていてもよい。
【００３４】
具体的には、判定部１１は、ＲＲＣメッセージやＭＡＣメッセージによって「Ａｄｖａｎｃｅｄ  Ｒｅｃｅｉｖｅｒ機能」を停止するように指示された場合に、上述の割り当ての可能性が無いと判定するように構成されていてもよい。
【００３５】
或いは、判定部１１は、ＳｃｅｌｌがＤｅａｃｔｉｖｅ状態に遷移する場合に、上述の割り当ての可能性が無いと判定するように構成されていてもよい。
【００３６】
具体的には、判定部１１は、「ｓＣｅｌｌＤｅａｃｔｉｖａｔｉｏｎＴｉｍｅｒ」が満了した場合や、「Ｄｅａｃｔｉｖａｔｉｏｎ  ｃｏｍｍａｎｄ  ＭＡＣ  ＣＥ」が受信された場合等に、上述の割り当ての可能性が無いと判定するように構成されていてもよい。
【００３７】
或いは、判定部１１は、Ｓｃｅｌｌにおいて上りリンクデータ用リソース又は下りリンクデータ用リソースが最後に割り当てられてから所定期間が経過した場合に、上述の割り当ての可能性が無いと判定するように構成されていてもよい。
【００３８】
或いは、判定部１１は、ＲＲＣメッセージやＭＡＣメッセージによって、特定のＳｃｅｌｌにおいて「Ａｄｖａｎｃｅｄ  Ｒｅｃｅｉｖｅｒ機能」を停止するように指示された場合に、かかる特定のＳｃｅｌｌにおいて上りリンクデータ用リソース及び下りリンクデータ用リソースの移動局ＵＥに対する割り当ての可能性が無いと判定するように構成されていてもよい。
【００３９】
切替部１２は、判定部１１によって上りリンクデータ用リソース及び下りリンクデータ用リソースの移動局ＵＥに対する割り当ての可能性が無いと判定された場合、「Ａｄｖａｎｃｅｄ  Ｒｅｃｅｉｖｅｒ機能」を停止（ＯＦＦ）するように構成されている。
【００４０】
ここで、判定部１１が、ＳｃｅｌｌがＤｅａｃｔｉｖｅ状態に遷移したため、かかるＳｃｅｌｌにおいて上りリンクデータ用リソース及び下りリンクデータ用リソースの移動局ＵＥに対する割り当ての可能性が無いと判定した場合に、切替部１２は、かかるＳｃｅｌｌに対応する「Ａｄｖａｎｃｅｄ  Ｒｅｃｅｉｖｅｒ機能」を停止するように構成されていてもよい。
【００４１】
また、判定部１１が、Ｓｃｅｌｌにおいて上りリンクデータ用リソース又は下りリンクデータ用リソースが最後に割り当てられてから所定期間が経過したため、かかるＳｃｅｌｌにおいて上りリンクデータ用リソース及び下りリンクデータ用リソースの移動局ＵＥに対する割り当ての可能性が無いと判定した場合に、切替部１２は、かかるＳｃｅｌｌに対応する「Ａｄｖａｎｃｅｄ  Ｒｅｃｅｉｖｅｒ機能」を停止するように構成されていてもよい。
【００４２】
また、判定部１１が、ＲＲＣメッセージやＭＡＣメッセージによって、特定のＳｃｅｌｌにおいて「Ａｄｖａｎｃｅｄ  Ｒｅｃｅｉｖｅｒ機能」を停止するように指示されたため、かかるＳｃｅｌｌにおいて上りリンクデータ用リソース及び下りリンクデータ用リソースの移動局ＵＥに対する割り当ての可能性が無いと判定した場合に、切替部１２は、かかるＳｃｅｌｌに対応する「Ａｄｖａｎｃｅｄ  Ｒｅｃｅｉｖｅｒ機能」を停止するように構成されていてもよい。
【００４３】
ここで、複数のＳｃｅｌｌ（又は、セル）において同一の「Ａｄｖａｎｃｅｄ  Ｒｅｃｅｉｖｅｒ機能」が共有されている場合、かかる複数のＳｃｅｌｌの全てがＤｅａｃｔｉｖｅ状態に遷移した場合に、かかる複数のＳｃｅｌｌに対応する「Ａｄｖａｎｃｅｄ  Ｒｅｃｅｉｖｅｒ機能」を停止するように構成されていてもよい。
【００４４】
また、切替部１２は、判定部１１によって上りリンクデータ用リソース及び下りリンクデータ用リソースの移動局ＵＥに対する割り当ての可能性が無いと判定された場合に、「Ａｄｖａｎｃｅｄ  Ｒｅｃｅｉｖｅｒ機能」を停止する代わりに、「Ａｄｖａｎｃｅｄ  Ｒｅｃｅｉｖｅｒ機能」が満たすべき受信特性を緩和するように構成されていてもよい。
【００４５】
なお、切替部１２は、「Ｏｎ  ｄｕｒａｔｉｏｎ」の数ｍｓ前や「ｄｒｘ-ＩｎａｃｔｉｖｉｔｙＴｉｍｅｒ」が起動中等の下りリンクデータ用リソースの割当がありそうなタイミングで、「Ａｄｖａｎｃｅｄ  Ｒｅｃｅｉｖｅｒ機能」を再開（ＯＮ）するように構成されていてもよい。
【００４６】
また、切替部１２は、上りリンクデータの発生時や「Ｓｃｈｅｄｕｌｉｎｇ  Ｒｅｑｕｅｓｔ」のトリガ時（すなわち、ＲＡ（Ｒａｎｄｏｍ  Ａｃｃｅｓｓ）手順起動時）やＢＳＲ（Ｂｕｆｆｅｒ  Ｓｔａｔｕｓ  Ｒｅｐｏｒｔ）の送信時等の上りリンクデータ用リソースの割当がありそうなタイミングで、「Ａｄｖａｎｃｅｄ  Ｒｅｃｅｉｖｅｒ機能」を再開（ＯＮ）するように構成されていてもよい。
【００４７】
さらに、切替部１２は、ＲＲＣメッセージやＭＡＣメッセージによって「Ａｄｖａｎｃｅｄ  Ｒｅｃｅｉｖｅｒ機能」を再開（ＯＮ）するように指示された場合に、「Ａｄｖａｎｃｅｄ  Ｒｅｃｅｉｖｅｒ機能」を再開（ＯＮ）するように構成されていてもよい。
【００４８】
また、切替部１２は、特定のＳｃｅｌｌがＡｃｔｉｖｅ状態に遷移した場合（すなわち、Ａｃｔｉｖａｔｉｏｎ  Ｃｏｍｍａｎｄが受信された場合）、かかる特定のＳｃｅｌｌに対応する「Ａｄｖａｎｃｅｄ  Ｒｅｃｅｉｖｅｒ機能」を再開（ＯＮ）するように構成されていてもよい。
【００４９】
或いは、切替部１２は、特定のＳｃｅｌｌがＡｃｔｉｖｅ状態に遷移し、かつ、かかる特定のＳｃｅｌｌの下りリンクにおける品質が所定条件を満たす場合（有効なＣＱＩ情報を保持している場合）に、かかる特定のＳｃｅｌｌに対応する「Ａｄｖａｎｃｅｄ  Ｒｅｃｅｉｖｅｒ機能」を再開（ＯＮ）するように構成されていてもよい。
【００５０】
また、切替部１２は、ＲＲＣメッセージやＭＡＣメッセージによって特定のＳｃｅｌｌに対応する「Ａｄｖａｎｃｅｄ  Ｒｅｃｅｉｖｅｒ機能」を再開（ＯＮ）するように指示された場合に、かかる特定のＳｃｅｌｌに対応する「Ａｄｖａｎｃｅｄ  Ｒｅｃｅｉｖｅｒ機能」を再開（ＯＮ）するように構成されていてもよい。
【００５１】
なお、切替部１２は、「Ａｄｖａｎｃｅｄ  Ｒｅｃｅｉｖｅｒ機能」のＯＮ/ＯＦＦの切替処理中に、移動局ＵＥの状態が変化した場合には、「Ａｄｖａｎｃｅｄ  Ｒｅｃｅｉｖｅｒ機能」のＯＮ/ＯＦＦの切替処理を中止するように構成されていてもよい。
【００５２】
ＤＲＸ制御部１３は、移動局ＵＥにおけるＤＲＸ制御を行うように構成されており、ＣＡ制御部１４は、移動局ＵＥにおけるＣＡに係る制御を行うように構成されており、送受信部１５は、無線基地局ｅＮＢとの間で信号の送受信を行うように構成されている。
【００５３】
以下、図３を参照して、本実施形態に係る移動通信システムの動作、具体的には、本実施形態に係る移動局ＵＥの動作について説明する。
【００５４】
図３に示すように、ステップＳ１０１において、移動局ＵＥは、上りリンクデータ用リソース及び下りリンクデータ用リソースの移動局ＵＥに対する割り当ての可能性があるか否かについて判定する。
【００５５】
ここで、かかる割り当ての可能性があると判定された場合は、本動作は、ステップＳ１０２に進み、かかる割り当ての可能性が無いと判定された場合は、本動作は、ステップＳ１０３に進む。
【００５６】
ステップＳ１０２において、移動局ＵＥは、「Ａｄｖａｎｃｅｄ  Ｒｅｃｅｉｖｅｒ機能」を再開（ＯＮ）する。
【００５７】
一方、ステップＳ１０３において、移動局ＵＥは、「Ａｄｖａｎｃｅｄ  Ｒｅｃｅｉｖｅｒ機能」を停止（ＯＦＦ）する。
【００５８】
以上に述べた本実施形態の特徴は、以下のように表現されていてもよい。
【００５９】
本実施形態の第１の特徴は、「Ａｄｖａｎｃｅｄ  Ｒｅｃｅｉｖｅｒ機能（高性能受信機機能）」に対応している移動局ＵＥであって、上りリンクデータ用リソース及び下りリンクデータ用リソースの移動局ＵＥに対する割り当ての可能性の有無を判定するように構成されている判定部１１と、判定部１１が、かかる割り当ての可能性が無いと判定した場合、「Ａｄｖａｎｃｅｄ  Ｒｅｃｅｉｖｅｒ機能」を停止するように構成されている切替部１２とを具備することを要旨とする。
【００６０】
かかる特徴によれば、上りリンクデータ用リソース及び下りリンクデータ用リソースの移動局ＵＥに対する割り当ての可能性が無い場合に、「Ａｄｖａｎｃｅｄ  Ｒｅｃｅｉｖｅｒ機能」を停止することによって、電力消費量を低減することができるため、適切なバッテリセービングを実現することができる。
【００６１】
本実施形態の第１の特徴において、判定部１１は、移動局ＵＥに対してＤＲＸ制御（間欠受信制御）が開始された場合に、上述の割り当ての可能性が無いと判定するように構成されていてもよい。
【００６２】
かかる特徴によれば、移動局ＵＥに対してＤＲＸ制御が開始された場合に、「Ａｄｖａｎｃｅｄ  Ｒｅｃｅｉｖｅｒ機能」を停止することによって、電力消費量を低減することができるため、適切なバッテリセービングを実現することができる。
【００６３】
本実施形態の第１の特徴において、判定部１１は、移動局ＵＥがＤＲＸ状態（間欠受信状態）に遷移した場合に、上述の割り当ての可能性が無いと判定するように構成されていてもよい。
【００６４】
かかる特徴によれば、移動局ＵＥがＤＲＸ状態に遷移した場合に、「Ａｄｖａｎｃｅｄ  Ｒｅｃｅｉｖｅｒ機能」を停止することによって、電力消費量を低減することができるため、適切なバッテリセービングを実現することができる。
【００６５】
本実施形態の第１の特徴において、判定部１１は、移動局ＵＥ宛ての下りリンクデータ及び移動局ＵＥによって送信される上りリンクデータが枯渇してから所定期間が経過した場合に、上述の割り当ての可能性が無いと判定するように構成されていてもよい。
【００６６】
かかる特徴によれば、移動局ＵＥ宛ての下りリンクデータ及び移動局ＵＥによって送信される上りリンクデータが枯渇してから所定期間が経過した場合に、「Ａｄｖａｎｃｅｄ  Ｒｅｃｅｉｖｅｒ機能」を停止することによって、電力消費量を低減することができるため、適切なバッテリセービングを実現することができる。
【００６７】
なお、かかる特徴によれば、「ｄｒｘ-ＩｎａｃｔｉｖｉｔｙＴｉｍｅｒ」が満了したタイミングと異なるタイミングで、「Ａｄｖａｎｃｅｄ  Ｒｅｃｅｉｖｅｒ機能」を停止することができる。
【００６８】
本実施形態の第１の特徴において、判定部１１は、ネットワークからの指示に応じて、上述の割り当ての可能性が無いと判定するように構成されていてもよい。
【００６９】
かかる特徴によれば、ネットワークから指示があった場合に、「Ａｄｖａｎｃｅｄ  Ｒｅｃｅｉｖｅｒ機能」を停止することによって、電力消費量を低減することができるため、適切なバッテリセービングを実現することができる。
【００７０】
すなわち、かかる特徴によれば、ネットワークを運用する通信事業者のポリシーに従って、移動局ＵＥにおけるバッテリセービングを実現することができる。
【００７１】
本実施形態の第１の特徴において、判定部１１は、Ｓｃｅｌｌ（セカンダリセル）がＤｅａｃｔｉｖｅ状態（非アクティブ状態）に遷移する場合に、上述の割り当ての可能性が無いと判定するように構成されており、切替部１２は、Ｓｃｅｌｌに対応する「Ａｄｖａｎｃｅｄ  Ｒｅｃｅｉｖｅｒ機能」を停止するように構成されていてもよい。
【００７２】
かかる特徴によれば、Ｄｅａｃｔｉｖｅ状態に遷移したＳｃｅｌｌに対応する「Ａｄｖａｎｃｅｄ  Ｒｅｃｅｉｖｅｒ機能」を停止することで、電力消費量を低減することができるため、適切なバッテリセービングを実現することができる。
【００７３】
すなわち、かかる特徴によれば、Ｓｃｅｌｌ単位で「Ａｄｖａｎｃｅｄ  Ｒｅｃｅｉｖｅｒ機能」を停止することができ、より効率的なバッテリセービングを実現することができる。
【００７４】
本実施形態の第１の特徴において、判定部１１は、Ｓｃｅｌｌにおいて上りリンクデータ用リソース又は下りリンクデータ用リソースが最後に割り当てられてから所定期間が経過した場合に、上述の割り当ての可能性が無いと判定するように構成されており、切替部１２は、Ｓｃｅｌｌに対応する「Ａｄｖａｎｃｅｄ  Ｒｅｃｅｉｖｅｒ機能」を停止するように構成されていてもよい。
【００７５】
かかる特徴によれば、上りリンクデータ用リソース又は下りリンクデータ用リソースが最後に割り当てられてから所定期間が経過したＳｃｅｌｌに対応する「Ａｄｖａｎｃｅｄ  Ｒｅｃｅｉｖｅｒ機能」を停止することで、電力消費量を低減することができるため、適切なバッテリセービングを実現することができる。
【００７６】
すなわち、かかる特徴によれば、Ｓｃｅｌｌ単位で「Ａｄｖａｎｃｅｄ  Ｒｅｃｅｉｖｅｒ機能」を停止することができ、より効率的なバッテリセービングを実現することができる。
【００７７】
本実施形態の第２の特徴は、「Ａｄｖａｎｃｅｄ  Ｒｅｃｅｉｖｅｒ機能（高性能受信機機能）」に対応している移動局ＵＥであって、上りリンクデータ用リソース及び下りリンクデータ用リソースの移動局ＵＥに対する割り当ての可能性の有無を判定するように構成されている判定部１１と、判定部１１が、かかる割り当ての可能性が無いと判定した場合、「Ａｄｖａｎｃｅｄ  Ｒｅｃｅｉｖｅｒ機能」が満たすべき受信特性を緩和するように構成されている切替部１２とを具備することを要旨とする。
【００７８】
かかる特徴によれば、上りリンクデータ用リソース及び下りリンクデータ用リソースの移動局ＵＥに対する割り当ての可能性が無い場合に、「Ａｄｖａｎｃｅｄ  Ｒｅｃｅｉｖｅｒ機能」が満たすべき受信特性を緩和することによって、電力消費量を低減することができるため、適切なバッテリセービングを実現することができる。
【００７９】
なお、上述の移動局ＵＥや無線基地局ｅＮＢの動作は、ハードウェアによって実施されてもよいし、プロセッサによって実行されるソフトウェアモジュールによって実施されてもよいし、両者の組み合わせによって実施されてもよい。
【００８０】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００８１】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥや無線基地局ｅＮＢ内に設けられていてもよい。また、かかる記憶媒体及びプロセッサは、ディスクリートコンポーネントとして移動局ＵＥや無線基地局ｅＮＢ内に設けられていてもよい。
【００８２】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８３】
ｅＮＢ…無線基地局
ＵＥ…移動局
１１…判定部
１２…切替部
１３…ＤＲＸ制御部
１４…ＣＡ制御部
１５…送受信部
【図１】
2015008401.tif 000003
【図２】
2015008401.tif 000004
【図３】
2015008401.tif 000005
【図４】
2015008401.tif 000006
【図５】
2015008401.tif 000007
【図６】
2015008401.tif 000008
【図７】
2015008401.tif 000009